(57)【要約】【課題】サイフォニング現象の発生を検出する。【解決手段】シリンジポンプは、外筒と、当該外筒の中空部を移動可能な押子と、当該押子の側面に設けられ電磁波に対して応答する応答部と、を有するシリンジの前記中空部に収容された液体を送液することが可能なシリンジポンプであって、前記シリンジを載置可能な載置部と、前記載置部に載置された前記シリンジの前記押子を固定可能な押子固定部を有し、前記押子と共に移動可能なスライダと、前記押子固定部に前記押子が固定されていることを検出する押子固定検出部と、前記応答部から送信されるデータを受信可能なアンテナ部と、前記シリンジが前記載置部に載置されている状態で、前記押子固定検出部が前記押子固定部に前記押子が固定されていないことを検出している場合に、前記アンテナ部と前記応答部との通信状態の変化を検出する制御部と、を備える。【選択図】図２
2019165869.tif 000002
【特許請求の範囲】
【請求項１】
外筒と、当該外筒の中空部を移動可能な押子と、当該押子の側面に設けられ電磁波に対して応答する応答部と、を有するシリンジの前記中空部に収容された液体を送液することが可能なシリンジポンプであって、
前記シリンジを載置可能な載置部と、
前記載置部に載置された前記シリンジの前記押子を固定可能な押子固定部を有し、前記押子と共に移動可能なスライダと、
前記押子固定部に前記押子が固定されていることを検出する押子固定検出部と、
前記応答部から送信されるデータを受信可能なアンテナ部と、
前記シリンジが前記載置部に載置されている状態で、前記押子固定検出部が前記押子固定部に前記押子が固定されていないことを検出している場合に、前記アンテナ部と前記応答部との通信状態の変化を検出する制御部と、を備えるシリンジポンプ。
【請求項２】
請求項１に記載のシリンジポンプにおいて、
複数の前記アンテナ部を備える、シリンジポンプ。
【請求項３】
請求項２に記載のシリンジポンプにおいて、
前記載置部に載置された前記シリンジの前記外筒の大きさを検出可能な外筒固定検出部をさらに備え、
前記制御部は、前記外筒固定検出部が検出した前記外筒の大きさに応じて、複数の前記アンテナ部から動作させる前記アンテナ部を選択する、シリンジポンプ。
【請求項４】
請求項２に記載のシリンジポンプにおいて、
前記制御部は、複数の前記アンテナ部を全て動作させる、シリンジポンプ。
【請求項５】
請求項１から４のいずれか一項に記載のシリンジポンプにおいて、
前記制御部は、
前記シリンジが前記載置部に載置されている状態で、前記押子固定検出部が前記押子固定部に前記押子が固定されていないことを検出している状態が所定時間続くと第１の警告を報知し、
前記アンテナ部と前記応答部との通信状態が劣化すると前記第１の警告とは異なる第２の警告を報知する、シリンジポンプ。
【請求項６】
請求項１から５のいずれか一項に記載のシリンジポンプにおいて、
前記送液を停止可能な送液停止部をさらに備え、
前記制御部は、前記アンテナ部と前記応答部との通信状態が劣化すると前記送液を停止させる、シリンジポンプ。
【請求項７】
外筒と、当該外筒の中空部を移動可能な押子と、当該押子の側面に設けられ電磁波に対して応答する応答部と、を備えるシリンジ。
【発明の詳細な説明】
【技術分野】
【０００１】
本開示は、液体を生体内に送液するために用いられるシリンジポンプ及びシリンジに関する。
【背景技術】
【０００２】
薬液等の液体が収容されたシリンジを載置し、シリンジの押子を押し出す速度を制御することで、流量を制御しながら患者等の生体内に液体を送液するシリンジポンプが知られている。このようなシリンジポンプでは、シリンジの押子が何らかの原因で固定されていない場合、生体との高低差により、液体が過剰に生体に投与されるサイフォニング現象が発生し得るという問題があった。
【０００３】
特許文献１には、シリンジの押子がスライダとしての移動子に把持されていることを検出する押子把持検出器が設けられたシリンジポンプが記載されている。
【先行技術文献】
【特許文献】
【０００４】
【特許文献１】特開２００５−２８７９４４号公報
【発明の概要】
【発明が解決しようとする課題】
【０００５】
しかしながら、特許文献１に記載のシリンジポンプでは、押子把持検出器からの出力を監視して押子がスライダに把持されていないことを検知することで、サイフォニング現象が発生し得る状態であることを検出できるが、サイフォニング現象が実際に発生していることを検出できなかった。
【０００６】
本開示の目的は、上記問題に鑑み、サイフォニング現象の発生を検出することができるシリンジポンプ及びシリンジを提供することである。
【課題を解決するための手段】
【０００７】
本発明の第１の態様としてのシリンジポンプは、外筒と、当該外筒の中空部を移動可能な押子と、当該押子の側面に設けられ電磁波に対して応答する応答部と、を有するシリンジの前記中空部に収容された液体を送液することが可能なシリンジポンプであって、前記シリンジを載置可能な載置部と、前記載置部に載置された前記シリンジの前記押子を固定可能な押子固定部を有し、前記押子と共に移動可能なスライダと、前記押子固定部に前記押子が固定されていることを検出する押子固定検出部と、前記応答部から送信されるデータを受信可能なアンテナ部と、前記シリンジが前記載置部に載置されている状態で、前記押子固定検出部が前記押子固定部に前記押子が固定されていないことを検出している場合に、前記アンテナ部と前記応答部との通信状態の変化を検出する制御部と、を備える。
【０００８】
本発明の１つの実施形態としてのシリンジポンプは、複数の前記アンテナ部を備える。
【０００９】
本発明の１つの実施形態としてのシリンジポンプは、前記載置部に載置された前記シリンジの前記外筒の大きさを検出可能な外筒固定検出部をさらに備え、前記制御部が、前記外筒固定検出部が検出した前記外筒の大きさに応じて、複数の前記アンテナ部から動作させる前記アンテナ部を選択する。
【００１０】
本発明の１つの実施形態としてのシリンジポンプは、前記制御部が、複数の前記アンテナ部を全て動作させる。
【００１１】
本発明の１つの実施形態としてのシリンジポンプは、前記制御部が、前記シリンジが前記載置部に載置されている状態で、前記押子固定検出部が前記押子固定部に前記押子が固定されていないことを検出している状態が所定時間続くと第１の警告を報知し、前記アンテナ部と前記応答部との通信状態が劣化すると前記第１の警告とは異なる第２の警告を報知する。
【００１２】
本発明の１つの実施形態としてのシリンジポンプは、前記送液を停止可能な送液停止部をさらに備え、前記制御部が、前記アンテナ部と前記応答部との通信状態が劣化すると前記送液を停止させる。
【００１３】
本発明の第１の態様としてのシリンジは、外筒と、当該外筒の中空部を移動可能な押子と、当該押子の側面に設けられ電磁波に対して応答する応答部と、を備える。
【発明の効果】
【００１４】
本開示のシリンジポンプ及びシリンジによると、サイフォニング現象の発生を検出することができる。
【図面の簡単な説明】
【００１５】
【図１】本発明の一実施形態としてのシリンジポンプの正面図である。
【図２】シリンジを載置した状態の図１に示すシリンジポンプの正面図である。
【図３】図２に示すシリンジの外観斜視図である。
【図４】シリンジを載置した状態のシリンジポンプの上面図である。
【図５】シリンジを載置した状態のシリンジポンプの背面図である。
【図６】図１に示すシリンジポンプのブロック図である。
【図７】サイフォニング現象が発生している状態におけるシリンジポンプの上面図である。
【図８】図１に示すシリンジポンプが行う送液停止処理を示すフローチャートである。
【図９】図１に示すシリンジポンプが行うサイフォニング現象判定処理を示すフローチャートである。
【図１０】シリンジを載置した状態のシリンジポンプの変形例に係る上面図である。
【発明を実施するための形態】
【００１６】
以下、本発明の一実施形態について、図面を参照して説明する。各図において共通の構成部には、同一の符号を付している。
【００１７】
［シリンジポンプ１］
図１は、本発明の一実施形態としてのシリンジポンプ１の正面図である。図２は、シリンジ５０を載置した状態のシリンジポンプ１の正面図である。図３は、シリンジ５０の外観斜視図である。図４は、シリンジ５０を載置した状態のシリンジポンプ１の上面図である。図５は、シリンジ５０を載置した状態のシリンジポンプ１の背面図である。図２に示すように、シリンジポンプ１は、シリンジ５０の中空部５２に収容された液体を送液するポンプとして構成されている。
【００１８】
図１及び図２に示すように、シリンジポンプ１は、本体カバー２を備えている。本体カバー２は、耐薬品性を有する成型樹脂材料により一体成型されている。これにより、本体カバー２は防沫処理構造を有する。防沫処理構造は、仮にシリンジポンプ１に薬剤等がかかっても、シリンジポンプ１の内部に薬剤等が侵入することを抑制することができる。
【００１９】
図１及び図２に示すように、シリンジポンプ１は、シリンジ５０を載置可能な載置部１１を備えている。図２に示すように、載置部１１に載置可能なシリンジ５０は、内部に中空部５２を区画する円筒状の外筒５１と、外筒５１の基端側から中空部５２内に挿入され、外筒５１の内周面の周方向に隙間なく密着しながら外筒５１の延在方向Ａ（以下、単に「延在方向Ａ」と記載する。）に沿って中空部５２を移動可能な押子５５と、を有する。外筒５１は、基端に外筒フランジ５３を有し、先端に中空部５２と外部とを連通する出口孔５４を区画している。出口孔５４は、外筒５１の先端に装着された可撓性を有するチューブ６０に区画された流路６１と連通している。押子５５は、基端に押子フランジ５６を有する。シリンジ５０の中空部５２には、薬液等の液体が収容されている。
【００２０】
図３に示すように、シリンジ５０の押子５５の側面には、応答部５７が設けられている。応答部５７は、例えば、貼り付けることにより、押子５５の側面に設けられていてよい。
【００２１】
応答部５７は、例えばＲＦタグである。応答部５７は、シリンジポンプ１が備える後述のアンテナ部３９（図１及び図２等参照）と、無線通信によって通信を行うことができる。応答部５７は、例えば、国際規格ＩＳＯ１５６９３によって規定されるような通信距離の短い通信方式によって、アンテナ部３９と無線通信を行うことができる。応答部５７は、アンテナ部３９から電磁波を受信すると、当該電磁波に対して応答し、アンテナ部３９にデータを送信する。
【００２２】
図２に示すように、載置部１１は、詳細には、シリンジ５０の外筒５１を載置可能である。また、図１及び図２に示すように、シリンジポンプ１は、シリンジ５０の外筒５１が載置部１１に載置されると、外筒フランジ５３の一部を収納して外筒５１をシリンジポンプ１に対して延在方向Ａに固定するスリット１５を備えている。
【００２３】
図１及び図２に示すように、シリンジポンプ１は、スライダ１２を備えている。スライダ１２は、載置部１１に載置されるシリンジ５０の押子５５と共に移動可能である。具体的に、スライダ１２は、載置部１１に載置されるシリンジ５０の押子フランジ５６よりも押子５５の基端側に位置し、延在方向Ａに沿って移動可能である。また、スライダ１２は押子固定部１３を備える。押子固定部１３は、載置部１１に載置されたシリンジ５０の押子５５をスライダ本体部１７（図４参照）に固定する。押子固定部１３は、本実施形態では、載置されたシリンジ５０の押子フランジ５６を、押子固定部１３以外のスライダ本体部１７との間で挟み込むようにして、押子フランジ５６をスライダ本体部１７に対して固定することが可能である。押子５５は、押子固定部１３により押子フランジ５６がスライダ本体部１７に対して固定された状態では、スライダ１２の延在方向Ａに沿う移動に伴ってスライダ１２と一体的に移動する。このとき、載置部１１に載置された外筒５１は、外筒フランジ５３の一部がスリット１５に収納されているため、シリンジポンプ１に対して延在方向Ａにおいて固定されている。従って、スライダ１２がシリンジ５０の先端側に移動すると、押子５５が外筒５１に対して先端側に移動し、中空部５２に収容された液体が出口孔５４から排出される。そのため、中空部５２に収容された液体を、チューブ６０に区画された流路６１を通じて生体内に向かって送液することができる。
【００２４】
図１及び図２に示すように、シリンジポンプ１は、載置部１１に載置されたシリンジ５０の外筒５１を固定する外筒固定部としてのシリンジ用クランプ１４を備えている。シリンジ用クランプ１４は、本実施形態では、延在方向Ａに直交する方向Ｂに沿って移動可能であり、載置部１１に載置されたシリンジ５０の外筒５１を、載置部１１との間で挟み込むようにして固定することが可能である。また、シリンジ用クランプ１４で外筒５１を固定することで、外筒フランジ５３の一部がスリット１５から外れにくくなるため、外筒５１はシリンジポンプ１に対して強固に固定される。
【００２５】
図１及び図２に示すように、シリンジポンプ１は、載置部１１にシリンジ５０が載置された場合にシリンジ５０の先端側となる位置に、切欠き状のチューブガイド部１６を備えている。チューブガイド部１６は、シリンジ５０が載置部１１に載置された状態で、シリンジ５０の先端に装着されたチューブ６０を通過させて位置決めするために利用される。
【００２６】
図１及び図２に示すように、シリンジポンプ１は、シリンジ５０が載置部１１に載置されている状態において、シリンジ５０の押子５５の側面に貼り付けられている応答部５７に近接する位置にアンテナ部３９を備えている。アンテナ部３９は、例えば本体カバー２に設けられていてよい。
【００２７】
図４は、シリンジ５０の押子５５がスライダ１２に対して固定されており、スライダ１２がシリンジ５０の先端側に移動する前における、シリンジポンプ１の上面図である。図４に示すように、アンテナ部３９は、シリンジ５０の押子５５がスライダ１２に対して固定され、スライダ１２がシリンジ５０の先端側に移動する前において、応答部５７に近接するように本体カバー２に設けられている。
【００２８】
図５は、アンテナ部３９が本体カバー２に設けられている様子を、シリンジポンプ１の背面から見た図である。
【００２９】
図６は、シリンジポンプ１のブロック図である。図６に示すように、シリンジポンプ１は、図１及び図２を参照して上述した載置部１１、押子固定部１３を有するスライダ１２、シリンジ用クランプ１４、スリット１５、及びチューブガイド部１６に加えて、回路部２０と、操作入力部３１と、表示部３２と、音出力部３３と、載置検出部３４と、外筒固定検出部３５と、スライダ駆動部３６と、押子固定検出部３７と、チューブ用クランプ３８と、アンテナ部３９と、を備えている。回路部２０は、シリンジポンプ１の内部に位置し、通信部２１と、計時部２２と、記憶部２３と、制御部２４と、を備えている。
【００３０】
通信部２１は、無線通信又は有線通信により、外部のコンピュータ等の情報処理装置との間で情報の送受信を行うインターフェースを含む。
【００３１】
計時部２２は、時間を測定し、時刻を刻み、例えば、ＲＴＣ（Real Time Clock：リアルタイムクロック）により実現され得る。計時部２２は、制御部２４の一機能として実現されてもよい。
【００３２】
記憶部２３は、例えば記憶装置を含んで構成され、種々の情報及びプログラムを記憶する。具体的に、記憶部２３は、制御部２４が実行する送液停止処理やサイフォニング現象判定処理を実行するためのプログラムを記憶する。また、記憶部２３は、シリンジポンプ１により送液される液体の流量の設定値や投与量の設定値等のパラメータ情報や、パラメータ情報に基づいてスライダ駆動部３６を駆動させて送液するための制御プログラム等を記憶する。
【００３３】
制御部２４は、例えば記憶部２３に記憶された特定の情報及びプログラムを読み込むことにより特定の機能を実現するプロセッサを含み、シリンジポンプ１全体の動作を制御する。具体的に、制御部２４は、記憶部２３に記憶された情報及びプログラムを読み込み、送液停止処理、サイフォニング現象判定処理、及び送液処理等の各種の処理を実行する。また、制御部２４は、通信部２１を介して、外部の情報処理装置との間で情報の送受信を行う。制御部２４は、操作入力部３１から入力された情報に基づいて各種の処理を実行し、各種の処理の実行に伴う情報を表示部３２及び音出力部３３から出力する。
【００３４】
操作入力部３１は、図１及び図２に示すように、各種の操作ボタンが配置された入力インターフェースとしての操作パネルで構成され、操作者による入力操作を受け付ける。操作入力部３１としての操作パネルに配置される操作ボタンは、シリンジポンプ１の動作電源のオンオフを切り替えるための電源ボタン、送液を開始するための開始ボタン、送液を停止するための停止ボタン等を含む。操作入力部３１は、表示部３２と一体的に設けられるタッチパネル、キーボード、又はマウス等の入力インターフェースを含んで構成されていてもよい。操作入力部３１は、入力された情報を、制御部２４に出力する。
【００３５】
表示部３２は、図１及び図２に示すように、例えば液晶ディスプレイ又は有機ＥＬディスプレイなどの表示デバイスを含む。表示部３２は、制御部２４からの信号に基づいて、送液される液体の流量の設定値や実測値、送液される液体の投与量の設定値や実測値、及び各種の警報情報等を表示する。
【００３６】
音出力部３３は、例えばスピーカを含み、制御部２４からの信号に基づいて、各種の警報情報等を音や音声により報知する。
【００３７】
載置検出部３４は、図１及び図２に示すように、例えば載置部１１に取り付けられ、載置部１１にシリンジ５０の外筒５１が載置されていることを検出するセンサである。載置検出部３４は、検出した情報を、制御部２４に出力する。
【００３８】
外筒固定検出部３５は、図１及び図２に示すように、例えばシリンジ用クランプ１４に取り付けられ、シリンジ５０の外筒５１がシリンジ用クランプ１４により固定されていることを検出するセンサである。また、外筒固定検出部３５は、載置部１１に載置されているシリンジ５０の外筒５１の径の大きさを検出可能である。外筒固定検出部３５は、検出した情報を、制御部２４に出力する。
【００３９】
スライダ駆動部３６は、例えばモータを含み、制御部２４からの信号に基づいて、スライダ１２を延在方向Ａ（図２参照）に沿って移動させる。
【００４０】
押子固定検出部３７は、図１及び図２に示すように、例えばスライダ１２に取り付けられ、シリンジ５０の押子５５が押子固定部１３によりスライダ本体部１７に固定されていることを検出するセンサである。押子固定検出部３７は、例えば、自然状態でスライダ１２の表面から一部が突出し、スライダ１２に向かって押し込み可能なスイッチを含み、押子５５が押子固定部１３によりスライダ本体部１７に固定されると、スイッチが押子５５によりスライダ１２に向かって押し込まれることで、押子５５の固定を検出する。押子固定検出部３７は、検出した情報を、制御部２４に出力する。押子固定検出部３７が押子５５の固定を検出しない場合、サイフォニング現象が発生し得る状態である。すなわち、押子固定検出部３７は、押子５５の固定を検出しないことに基づいて、サイフォニング現象が発生し得る状態であることを検出することができる。
【００４１】
チューブ用クランプ３８は、図１及び図２に示すように、例えばチューブガイド部１６の位置に取り付けられ、チューブ６０を挟み込むことが可能である。具体的に、チューブ用クランプ３８は、制御部２４からの信号に基づいて、チューブガイド部１６を通過したチューブ６０に区画された流路６１を開放する開状態と、流路６１を閉鎖する閉状態とを切替可能に構成されている。換言すれば、チューブ用クランプ３８は、閉状態では、チューブ６０の流路６１を閉鎖してシリンジ５０からの送液を停止する送液停止部となる。
【００４２】
アンテナ部３９は、シリンジ５０の押子５５の側面に貼り付けられた応答部５７と、例えば、国際規格ＩＳＯ１５６９３によって規定されるような通信距離の短い通信方式によって無線通信を行うことができる。アンテナ部３９は、アンテナ部３９から応答部５７に送信した電磁波に対する応答として応答部５７から送信されるデータを受信可能である。応答部５７から送信されるデータは、例えば、応答部５７を固有に識別するためのＩＤなどを含む。
【００４３】
アンテナ部３９は、図４に示すように、シリンジ５０の押子５５の側面に貼り付けられた応答部５７がアンテナ部３９に近接していて、応答部５７がアンテナ部３９に正対しているときは、応答部５７と良好な通信状態で無線通信を行うことができる。
【００４４】
図７は、サイフォニング現象が発生している状態におけるシリンジポンプ１の上面図である。図７に示す状態においては、シリンジ５０の押子５５は、スライダ１２に固定されていない。また、シリンジ５０の押子５５は、スライダ１２から離れてシリンジ５０の先端側に移動している。このとき、シリンジ５０の外筒５１は、シリンジポンプ１に対して延在方向Ａに固定されているため、押子５５が外筒５１に対して先端方向に移動しており、サイフォニング現象が発生している。
【００４５】
図７に示すようなサイフォニング現象が発生すると、シリンジ５０の押子５５がシリンジ５０の先端側に徐々に移動していくため、シリンジ５０の押子５５の側面に貼り付けられている応答部５７は、アンテナ部３９から徐々に遠ざかる。その結果、応答部５７がアンテナ部３９の通信可能な領域から離れると、アンテナ部３９と応答部５７との間の通信状態は劣化する。すなわち、サイフォニング現象が発生すると、アンテナ部３９と応答部５７との間の通信状態は、良好な通信状態から、それより劣化した通信状態に変化する。ここで、通信状態が劣化するとは、例えば、アンテナ部３９が応答部５７から応答を受信する際に、通信エラーの確率が増えることを意味する。したがって、例えば、所定の単位回数当たりの通信エラーの発生回数を閾値とすることで、通信状態の変化を判断することができる。具体的には、通信エラーの発生回数が閾値未満の場合を良好な通信状態と判断し、通信エラーの発生回数が閾値以上の場合を劣化した通信状態と判断することができる。
【００４６】
制御部２４は、シリンジ５０が載置部１１に載置されている状態で、押子固定検出部３７が、スライダ１２の押子固定部１３にシリンジ５０の押子５５が固定されていないことを検出している場合に、アンテナ部３９と応答部５７との間の通信状態に変化があるかを検出する。
【００４７】
制御部２４は、実際にサイフォニング現象が発生し、アンテナ部３９と応答部５７との間の通信状態が変化すると、シリンジポンプ１の送液を停止させてよい。制御部２４は、チューブ用クランプ３８によりチューブ６０の流路６１を閉鎖させることで送液を停止させてよい。
【００４８】
［サイフォニング現象判定処理］
図８及び図９に示すフローチャートを参照して、シリンジポンプ１が行うサイフォニング現象判定処理を含む送液停止処理について説明する。
【００４９】
まず、シリンジポンプ１の制御部２４は、外筒固定検出部３５がシリンジ５０の外筒５１の載置部１１への固定を検出しているか否かを判定する（ステップＳ１０１）。制御部２４は、固定を検出していないと判定する場合（ステップＳ１０１のＮｏ）、ステップＳ１０１の処理に戻る。一方、制御部２４は、固定を検出していると判定すると（ステップＳ１０１のＹｅｓ）、ステップＳ１０２に進む。本実施形態では、シリンジ用クランプ１４による外筒５１の載置部１１への固定を検出しているが、載置検出部３４により、外筒５１の載置部１１への載置を検出してもよい。
【００５０】
制御部２４は、押子固定検出部３７がシリンジ５０の押子５５のスライダ１２への固定を検出しているか否かを判定する（ステップＳ１０２）。制御部２４は、押子５５がスライダ１２へ固定されていると判定する場合（ステップＳ１０２のＹｅｓ）、ステップＳ１０２の処理に戻る。一方、制御部２４は、押子５５がスライダ１２へ固定されていないと判定すると（ステップＳ１０２のＮｏ）、ステップＳ１０３に進む。
【００５１】
制御部２４は、シリンジ５０が載置部１１に載置されている状態で、押子固定検出部３７が、スライダ１２の押子固定部１３にシリンジ５０の押子５５が固定されていないことを検出している状態が所定時間続いたか否かを判定する（ステップＳ１０３）。制御部２４は、所定時間続いていないと判定する場合（ステップＳ１０３のＮｏ）、ステップＳ１０３の処理に戻る。一方、制御部２４は、所定時間続いたと判定すると（ステップＳ１０３のＹｅｓ）、第１の警告を報知する（ステップＳ１０４）。
【００５２】
制御部２４は、例えば、表示部３２に警告メッセージを表示させることにより、第１の警告を報知してよい。制御部２４は、例えば、音出力部３３に警告音を出力させることにより第１の警告を報知してよい。これにより、制御部２４は、シリンジポンプ１の操作者に対し、サイフォニング現象が発生し得る状態であることを報知することができる。
【００５３】
制御部２４は、サイフォニング現象判定処理を開始する（ステップＳ１０５）。制御部２４は、ステップＳ１０２においてＮｏと判定した場合、ステップＳ１０３及びステップＳ１０４を実行した後でなく、ステップＳ１０３に進むのと並行して、サイフォニング現象判定処理（ステップＳ１０５）に進んでもよい。
【００５４】
制御部２４は、サイフォニング現象判定処理を開始すると、まず、アンテナ部３９と応答部５７との間の通信状態の変化を監視する（ステップＳ２０１）。すなわち、制御部２４は、アンテナ部３９が応答部５７から応答を受信する際に、通信エラーの確率が変化するか否かを監視する。
【００５５】
制御部２４は、アンテナ部３９と応答部５７との間の通信状態の変化が検出されない場合（ステップＳ２０２のＮｏ）、ステップＳ２０１の処理に戻る。一方、制御部２４は、アンテナ部３９と応答部５７との間の通信状態の変化が検出されると（ステップＳ２０２のＹｅｓ）、サイフォニング現象が発生していると判定し（ステップＳ２０３）サイフォニング現象判定処理を終了する。
【００５６】
制御部２４は、サイフォニング現象判定処理の結果、サイフォニング現象が発生していると判定すると（ステップＳ２０３）、第１の警告とは異なる第２の警告を報知する（ステップＳ１０６）。
【００５７】
制御部２４は、例えば、表示部３２に警告メッセージを表示させることにより、第２の警告を報知してよい。制御部２４は、例えば、音出力部３３に警告音を出力させることにより第２の警告を報知してよい。これにより、制御部２４は、シリンジポンプ１の操作者に対し、サイフォニング現象が発生していることを報知することができる。
【００５８】
制御部２４は、第２の警告を第１の警告よりも警告レベルが高い警告として報知してよい。例えば、表示部３２に第１の警告及び第２の警告を報知させる場合、制御部２４は、第１の警告は背景が黄色の画面で表示させ、第２の警告は背景が赤色の画面で表示させてよい。または、制御部２４は、第２の警告を表示させる際は、画面を点滅させてよい。このように、第２の警告を、第１の警告よりも操作者の視覚に訴える力が強い表示とすることで、制御部２４は、シリンジポンプ１の操作者に対し、サイフォニング現象が発生していることを、より強力に報知することができる。
【００５９】
また、例えば、音出力部３３に第１の警告及び第２の警告を報知させる場合、制御部２４は、第１の警告よりも第２の警告の音量を大きくしてよい。このように、第２の警告を、第１の警告よりも操作者の聴覚に訴える力が強い音とすることで、制御部２４は、シリンジポンプ１の操作者に対し、サイフォニング現象が発生していることを、より強力に報知することができる。
【００６０】
制御部２４は、チューブ用クランプ３８（図２等参照）によりチューブ６０の流路６１を閉鎖させることで送液を停止させ（ステップＳ１０７）、送液停止処理を終了する。
【００６１】
以上のように、本実施形態のシリンジポンプ１は、シリンジ５０の外筒５１が載置部１１に固定されている状態で、押子固定検出部３７が押子固定部１３に押子５５が固定されていないことを検出している場合に、アンテナ部３９と応答部５７との間の通信状態の変化を検出することができる。従って、サイフォニング現象の発生を検出することができる。
【００６２】
また、本実施形態のシリンジポンプ１は、シリンジ５０の外筒５１が載置部１１に固定されていない状態のとき、又は、押子固定検出部３７がスライダ１２に押子５５が固定されていることを検出している場合は、アンテナ部３９と応答部５７との間の通信状態の変化の検出を開始しないので、不要な検出を回避することができる。
【００６３】
なお、シリンジポンプ１は、シリンジ５０の外筒５１が載置部１１に固定されていない状態のとき、又は、押子固定検出部３７がスライダ１２に押子５５が固定されていることを検出している場合にも、アンテナ部３９と応答部５７との間の通信状態の変化の検出を開始してもよい。この場合、シリンジポンプ１の制御部２４は、アンテナ部３９と応答部５７との間の通信状態の変化を検出しても、サイフォニング現象が発生しているとは判定しない。
【００６４】
（変形例）
図１０は、変形例に係るシリンジポンプ１ａにシリンジ５０が載置されている状態を示す上面図である。
【００６５】
変形例に係るシリンジポンプ１ａは、アンテナ部３９Ａ、アンテナ部３９Ｂ、及びアンテナ部３９Ｃという複数のアンテナ部を備える。アンテナ部３９Ａ、アンテナ部３９Ｂ、及びアンテナ部３９Ｃは、延在方向Ａに沿って並ぶように、本体カバー２に設けられていてよい。
【００６６】
シリンジ５０には、様々な大きさのシリンジがあり得る。例えば、シリンジ５０には、小型、中型、及び大型の大きさがあり得る。小型、中型、及び大型のシリンジ５０は、それぞれ、外筒５１の径の大きさが異なる。また、小型、中型、及び大型のシリンジ５０は、それぞれ、延在方向Ａに沿った長さが異なる。
【００６７】
シリンジポンプ１ａは、小型のシリンジ５０が載置されている状態において、小型のシリンジ５０の押子５５の側面に貼り付けられている応答部５７に近接する位置にアンテナ部３９Ａを備えている。
【００６８】
シリンジポンプ１ａは、中型のシリンジ５０が載置されている状態において、中型のシリンジ５０の押子５５の側面に貼り付けられている応答部５７に近接する位置にアンテナ部３９Ｂを備えている。
【００６９】
シリンジポンプ１ａは、大型のシリンジ５０が載置されている状態において、大型のシリンジ５０の押子５５の側面に貼り付けられている応答部５７に近接する位置にアンテナ部３９Ｃを備えている。
【００７０】
シリンジポンプ１ａの外筒固定検出部３５は、シリンジ５０が載置部１１に載置されると、シリンジ５０の外筒５１の径の大きさを検出し、検出した情報を制御部２４に出力する。
【００７１】
シリンジポンプ１ａの制御部２４は、外筒固定検出部３５が検出したシリンジ５０の外筒５１の径の大きさに応じて、シリンジ５０が、小型、中型、及び大型のいずれであるか判定する。制御部２４は、シリンジ５０の大きさに応じて、アンテナ部３９Ａ、アンテナ部３９Ｂ、及びアンテナ部３９Ｃのうちのいずれのアンテナ部を動作させるかを選択する。
【００７２】
制御部２４は、シリンジ５０が小型である場合、動作させるアンテナ部としてアンテナ部３９Ａを選択する。制御部２４は、シリンジ５０が中型である場合、動作させるアンテナ部としてアンテナ部３９Ｂを選択する。制御部２４は、シリンジ５０が大型である場合、動作させるアンテナ部としてアンテナ部３９Ｃを選択する。
【００７３】
このように、シリンジポンプ１ａは、アンテナ部３９Ａ、アンテナ部３９Ｂ、及びアンテナ部３９Ｃという複数のアンテナ部を備え、外筒固定検出部３５が検出したシリンジ５０の外筒５１の径の大きさに応じて、いずれのアンテナ部を動作させるかを選択する。これにより、様々な種類の大きさのシリンジ５０に対応して、図９に示したサイフォニング現象判定処理を実行することができる。
【００７４】
また、シリンジポンプ１ａの制御部２４は、アンテナ部３９Ａ、アンテナ部３９Ｂ、及びアンテナ部３９Ｃのうちのいずれかのアンテナ部を選択して動作させるのではなく、アンテナ部３９Ａ、アンテナ部３９Ｂ、及びアンテナ部３９Ｃを全て動作させてもよい。
【００７５】
制御部２４は、アンテナ部３９Ａ、アンテナ部３９Ｂ、及びアンテナ部３９Ｃを全て動作させることにより、シリンジ５０の押子５５の動き又は位置をより詳細に把握することができる。例えば、制御部２４は、以下に示す状態Ａから状態Ｂへの移行を、アンテナ部３９Ａ、アンテナ部３９Ｂ、及びアンテナ部３９Ｃから検出した場合、応答部５７がアンテナ部３９Ｂに近接する位置からアンテナ部３９Ａに近接する位置に移動するように押子５５が動いたことを把握することができる。
＜状態Ａ＞
アンテナ部３９Ａと応答部５７との間の通信状態は不良
アンテナ部３９Ｂと応答部５７との間の通信状態は良好
アンテナ部３９Ｃと応答部５７との間の通信状態は不良
＜状態Ｂ＞
アンテナ部３９Ａと応答部５７との間の通信状態は良好
アンテナ部３９Ｂと応答部５７との間の通信状態は不良
アンテナ部３９Ｃと応答部５７との間の通信状態は不良
【００７６】
このように、シリンジ５０の押子５５の側面に応答部５７が設けられていることにより、シリンジポンプ１又はシリンジポンプ１ａの制御部２４は、押子５５の動き又は位置を詳細に把握することができる。
【００７７】
本発明は、上述した各実施形態で特定された構成に限定されず、特許請求の範囲に記載した発明の要旨を逸脱しない範囲内で種々の変形が可能である。例えば、各構成部、各ステップなどに含まれる機能などは論理的に矛盾しないように再配置可能であり、複数の構成部やステップなどを１つに組み合わせたり、或いは分割したりすることが可能である。
【００７８】
また、本実施形態のシリンジポンプ１では、送液停止部としてチューブ用クランプ３８を用いる構成としたが、シリンジ５０からの送液を停止させることができ得る限り、他の手段を用いる構成としてもよい。
【００７９】
また、本実施形態のシリンジポンプ１では、アンテナ部３９と応答部５７との間の通信状態の変化を検出すると、送液を停止させる構成としたが、送液は停止させずに、第２の警告を報知するだけとしてもよい。
【産業上の利用可能性】
【００８０】
本開示は、液体を生体内に送液するために用いられるシリンジポンプに関する。
【符号の説明】
【００８１】
１、１ａ：シリンジポンプ
２：本体カバー
１１：載置部
１２：スライダ
１３：押子固定部
１４：シリンジ用クランプ
１５：スリット
１６：チューブガイド部
１７：スライダ本体部
２０：回路部
２１：通信部
２２：計時部
２３：記憶部
２４：制御部
３１：操作入力部
３２：表示部
３３：音出力部
３４：載置検出部
３５：外筒固定検出部
３６：スライダ駆動部
３７：押子固定検出部
３８：チューブ用クランプ（送液停止部）
３９、３９Ａ、３９Ｂ、３９Ｃ：アンテナ部
５０：シリンジ
５１：外筒
５２：中空部
５３：外筒フランジ
５４：出口孔
５５：押子
５６：押子フランジ
５７：応答部
６０：チューブ
６１：流路
Ａ：載置されたシリンジの外筒の延在方向
Ｂ：シリンジ用クランプの移動可能方向
【図１】
2019165869.tif 000003
【図２】
2019165869.tif 000004
【図３】
2019165869.tif 000005
【図４】
2019165869.tif 000006
【図５】
2019165869.tif 000007
【図６】
2019165869.tif 000008
【図７】
2019165869.tif 000009
【図８】
2019165869.tif 000010
【図９】
2019165869.tif 000011
【図１０】
2019165869.tif 000012